(57)【要約】【課題】  外観色や装飾を安価に変えることができ、且つそれらの外観色や装飾が確実に保護された、意匠性の高い電動工具を提供する。【解決手段】  モータ等の駆動源と、該駆動源の駆動力を伝達する伝達機構部と、前記駆動源の起動・停止を制御するスイッチと、前記駆動源と前記伝達機構部と、を内蔵する胴体部と、該胴体部から延び、前記スイッチを内蔵するハンドル部と、前記胴体部と前記ハンドル部とを形成する外枠であるハウジングを有する電動工具において、前記ハウジングの外表面の少なくとも一部に塗装を施し、更に軟弾性体から成り且つ透過性を有する軟質層を、前記塗装面を覆うように前記ハウジングの外表面に一体に成形した。【選択図】  図１
2009083058.tif 000002
【特許請求の範囲】
【請求項１】
モータ等の駆動源と、
該駆動源の駆動力を伝達する伝達機構部と、
前記駆動源の起動・停止を制御するスイッチと、
前記駆動源と前記伝達機構部と、を内蔵する胴体部と、
該胴体部から延び、前記スイッチを内蔵するハンドル部と、
前記胴体部と前記ハンドル部とを形成する外枠であるハウジングを有する電動工具において、
前記ハウジングの外表面の少なくとも一部に塗装を施し、更に軟弾性体から成り且つ透過性を有する軟質層を、前記塗装面を覆うように前記ハウジングの外表面に一体に成形したことを特徴とする電動工具。
【請求項２】
モータ等の駆動源と、
該駆動源の駆動力を伝達する伝達機構部と、
前記駆動源の起動・停止を制御するスイッチと、
前記駆動源と前記伝達機構部と、を内蔵する胴体部と、
該胴体部から延び、前記スイッチを内蔵するハンドル部と、
前記胴体部と前記ハンドル部とを形成する外枠であるハウジングを有する電動工具において、
前記ハウジングの外表面に文字又は図柄を印刷し、更に軟弾性体から成り且つ透過性を有する軟質層を、前記印刷面を覆うように前記ハウジングの外表面に一体に成形したことを特徴とする電動工具。
【請求項３】
モータ等の駆動源と、
該駆動源の駆動力を伝達する伝達機構部と、
前記駆動源の起動・停止を制御するスイッチと、
前記駆動源と前記伝達機構部と、を内蔵する胴体部と、
該胴体部から延び、前記スイッチを内蔵するハンドル部と、
前記胴体部と前記ハンドル部とを形成する外枠であるハウジングを有する電動工具において、
前記ハウジングの外表面に文字又は図柄が印刷されたラベルを貼り付け、更に軟弾性体から成り且つ透過性を有する軟質層を、前記ラベルを覆うように前記ハウジングの外表面に一体に成形したことを特徴とする電動工具。
【請求項４】
モータ等の駆動源と、
該駆動源の駆動力を伝達する伝達機構部と、
前記駆動源の起動・停止を制御するスイッチと、
前記駆動源と前記伝達機構部と、を内蔵する胴体部と、
該胴体部から延び、前記スイッチを内蔵するハンドル部と、
前記胴体部と前記ハンドル部とを形成する外枠であるハウジングを有する電動工具において、
前記ハウジングの外表面に文字又は図柄を凸レリーフ状に形成し、更に軟弾性体から成り且つ透過性を有する軟質層を、前記凸レリーフを覆うように前記ハウジングの外表面に一体に成形したことを特徴とする電動工具。
【請求項５】
前記ハウジングは２分割された左右一対の外枠であり、前記軟質層を、前記ハウジングの合わせ面で接触するように設けたことを特徴とする請求項１〜４の何れかに記載の電動工具。
【請求項６】
前記軟質層の外表面の少なくとも一部をつや消しにしたことを特徴とする請求項１〜５の何れかに記載の電動工具。
【請求項７】
前記ハンドル部及び前記胴体部の把持部に前記軟質層とは別の軟質層を有することを特徴とする請求項１〜６の何れかに記載の電動工具。
【発明の詳細な説明】
【技術分野】
【０００１】
本発明は、外表面に軟質層を一体に形成した外枠を有する電動工具に関するものである。
【背景技術】
【０００２】
従来の外表面に軟質層を一体に形成した外枠を有する電動工具は、モータ等の駆動源と、該駆動源の駆動力を伝達する伝達機構部と、前記駆動源の起動・停止を制御するスイッチと、前記駆動源と前記伝達機構部とを内蔵する外枠である胴体部と、該胴体部から延び、内部に前記スイッチを内蔵する外枠であるハンドル部とで構成されている。
【０００３】
ここで、この種の電動工具の一例として、従来のインパクトドライバを図９及び図１０に基づいて説明する。尚、図９は従来のインパクトドライバの左側面図であり、図１０は同インパクトドライバの内部構造を示す右側断面図である。
【０００４】
図示のインパクトドライバ１’は、外形を形成する外枠であるハウジング２とハンマケース３を有しており、ハウジング２は、前後方向に延びる略円筒形の胴体部２Ａと、該胴体部２Ａに側面視略Ｔ字状を成すように連設されたハンドル部２Ｂとで構成されている。そして、ハウジング２の胴体部２Ａの内部には、駆動源であるモータ４と、該モータ４の回転を減速させる遊星歯車機構５と、該遊星歯車機構５によって減速されたモータ４の回転を回転打撃力に変換して先端工具であるビット（図示せず）に伝達する打撃機構部が収容されている。
【０００５】
又  、ハウジング２のハンドル部２Ｂの内部には、上部に前記モータ４の起動・停止を制御するためのトリガースイッチ１０が、下部にはバッテリ受け部８がそれぞれ収容されており、ハンドル部２Ｂの下端には充電可能な電源であるバッテリ９が着脱可能に装着されている。
【０００６】
ところで、ハウジング２の胴体部２Ａ及びハンドル部２Ｂの外表面には、エラストマ等の軟弾性体から成る軟質層１２が一体に形成されており（図９の斜線部分）、この軟質層１２によって作業時の衝撃が吸収されるとともに、ユーザーが胴体部２Ａやハンドル部２Ｂを手で握ったときのソフト感とフィット感が高められる。
【０００７】
このような電動工具において、従来から使用者の好みに応じて外観のカラーバリエーションを増やすために、ハウジングや軟質層の樹脂色を変える、あるいはハウジングの外表面に塗装を施す、といった方法が知られている。又、意匠性を高めるために、ハウジングに任意の文字や図柄を印刷したシールを貼り付ける、あるいはハウジングに任意の文字や図柄を凸レリーフ状に形成する、といった方法が知られている。
【０００８】
又、特許文献１には、透明又は半透明の樹脂からなり、電動工具の外枠の一部を覆うカバーと外枠との間に任意の文字や図柄を印刷したシートを挟む方法が提案されている。
【０００９】
【特許文献１】特開２００４−２４９４０８号
【発明の開示】
【発明が解決しようとする課題】
【００１０】
図９、１０に示す外枠を有する電動工具においては、ハウジングや軟質層の樹脂色を変えるためには色数分の材料が必要となり、コストが高かった。
【００１１】
又、ハウジング外表面に塗装すると、使用中に相手材と接触したときに塗装面が剥がれやすかった。
【００１２】
又、ハウジング外表面に印刷すると、使用中に相手材と接触したときに印刷面が剥がれやすかった。
【００１３】
又、ハウジングの外表面にラベルを貼り付けると、使用中にラベルが剥がれやすかった。
【００１４】
又、ハウジングに任意の文字や図柄を凸レリーフ状に成形すると、凸レリーフが手指に当たり、操作の妨げになった。
【００１５】
又、外枠の一部を覆うカバーと外枠との間に任意の文字や図柄を印刷したシートを挟むと、カバーの隙間から粉じんが入り、シートが汚れやすかった。
【００１６】
又、ハウジングにメタリックカラー塗装を施した場合、光を反射するため、操作の妨げになった。
【００１７】
本発明は上記問題に鑑みてなされたもので、その目的とする処は、外観色や装飾を安価に変えることができ、且つそれらの外観色や装飾が確実に保護された、意匠性の高い電動工具を提供することにある。
【課題を解決するための手段】
【００１８】
上記目的を達成するため、請求項１記載の発明は、モータ等の駆動源と、該駆動源の駆動力を伝達する伝達機構部と、前記駆動源の起動・停止を制御するスイッチと、前記駆動源と前記伝達機構部と、を内蔵する外枠である胴体部と、該胴体部から延び、内部に前記スイッチを内蔵する外枠であるハンドル部と、を有する電動工具において、前記ハウジングの外表面の少なくとも一部に塗装を施し、更に軟弾性体から成り且つ透過性を有する軟質層を、前記塗装面を覆うように前記ハウジングの外表面に一体に成形したことを特徴とする。
【００１９】
請求項２記載の発明は、モータ等の駆動源と、該駆動源の駆動力を伝達する伝達機構部と、前記駆動源の起動・停止を制御するスイッチと、前記駆動源と前記伝達機構部と、を内蔵する外枠である胴体部と、該胴体部から延び、内部に前記スイッチを内蔵する外枠であるハンドル部と、を有する電動工具において、前記ハウジングの外表面に文字又は図柄を印刷し、更に軟弾性体から成り且つ透過性を有する軟質層を、前記印刷面を覆うように前記ハウジングの外表面に一体に成形したことを特徴とする。
【００２０】
請求項３記載の発明は、モータ等の駆動源と、該駆動源の駆動力を伝達する伝達機構部と、前記駆動源の起動・停止を制御するスイッチと、前記駆動源と前記伝達機構部と、を内蔵する外枠である胴体部と、該胴体部から延び、内部に前記スイッチを内蔵する外枠であるハンドル部と、を有する電動工具において、前記ハウジングの外表面に文字又は図柄が印刷されたラベルを貼り付け、更に軟弾性体から成り且つ透過性を有する軟質層を、前記ラベルを覆うように前記ハウジングの外表面に一体に成形したことを特徴とする。
【００２１】
請求項４記載の発明は、モータ等の駆動源と、該駆動源の駆動力を伝達する伝達機構部と、前記駆動源の起動・停止を制御するスイッチと、前記駆動源と前記伝達機構部と、を内蔵する外枠である胴体部と、該胴体部から延び、内部に前記スイッチを内蔵する外枠であるハンドル部と、を有する電動工具において、前記ハウジングの外表面に文字又は図柄を凸レリーフ状に形成し、更に軟弾性体から成り且つ透過性を有する軟質層を、前記凸レリーフを覆うように前記ハウジングの外表面に一体に成形したことを特徴とする。
【００２２】
請求項５記載の発明は、請求項１〜４の何れかに記載の発明において、前記ハウジングは２分割された左右一対の外枠であり、前記軟質層を、前記ハウジングの合わせ面で接触するように設けたことを特徴とする。
【００２３】
請求項６記載の発明は、請求項１〜５の何れかに記載の発明において、前記軟質層の外表面の少なくとも一部をつや消しにしたことを特徴とする。
【００２４】
請求項７記載の発明は、請求項１〜６の何れかに記載の発明において、前記ハンドル部及び前記胴体部の把持部に前記軟質層とは別の軟質層を有することを特徴とする。
【発明の効果】
【００２５】
請求項１記載の発明によれば、ハウジング外表面に塗装を施し、更に軟弾性体から成り且つ透過性を有する軟質層を、前記塗装面を覆うように前記ハウジングの外表面に一体に成形することにより、樹脂色を変更する場合に比べて、安価にカラーバリエーションを増やすことができるとともに、塗装面の傷付きや剥がれを防ぐことができる。又、透過性を有する軟質層により塗装面の色に深みが加わり、意匠性が向上する。
【００２６】
請求項２記載の発明によれば、ハウジング外表面に任意の文字又は図柄を印刷し、更に軟弾性体から成り且つ透過性を有する軟質層を、前記印刷面を覆うように前記ハウジングの外表面に一体に成形することにより、安価に外観イメージを変えられるとともに、印刷面の傷付きや剥がれを防ぐことができる。又、透過性を有する軟質層により印刷面の質感に深みが加わり、意匠性が向上する。
【００２７】
請求項３記載の発明によれば、ハウジング外表面に任意の文字又は図柄が印刷されたラベルを貼り、更に軟弾性体から成り且つ透過性を有する軟質層を、前記ラベルを覆うように前記ハウジングの外表面に一体に成形することにより、ラベルの汚れや剥がれを防ぐことができる。又、透過性を有する軟質層によりラベルの質感に深みが加わり、意匠性が向上する。
【００２８】
請求項４記載の発明によれば、ハウジングの外表面に任意の文字又は図柄を凸レリーフ状に形成し、更に軟弾性体から成り且つ透過性を有する軟質層を、凸レリーフを覆うように前記ハウジングの外表面に一体に成形することにより、凸レリーフが手指に当たって操作の妨げになることを防ぐことができる。又、透過性を有する軟質層により凸レリーフの質感に深みが加わり、意匠性が向上する。
【００２９】
請求項５記載の発明によれば、軟質層を前記ハウジングの外表面に、該ハウジングの合わせ面で接触するように設けることにより、前記表面処理部又は前記印刷部又は前記ラベル又は前記凸レリーフを、左右一対のハウジングに跨って設けることができる。
【００３０】
請求項６記載の発明によれば、前記軟質層の外表面をつや消しにすることにより、ハウジング外表面に反射率の高いメタリックカラー塗装を施した場合でも、光の反射を抑え、操作の妨げになることを防ぐことができる。
【００３１】
請求項７記載の発明によれば、前記ハンドル部及び前記胴体部の把持部に前記軟質層とは別の軟質層を有することにより、作業時の衝撃が吸収されるとともに、握ったときのソフト感とフィット感が高められる。
【発明を実施するための最良の形態】
【００３２】
以下に、本発明の実施の形態を図１〜図８に基づいて説明する。尚、図９、１０に示した従来の電動工具と同じ構成部品には同じ番号を付し、その説明を省略する。
＜実施の形態１＞
以下に本発明の実施の形態を添付図面に基づいて説明する。図１は本発明に係る電動工具の一形態としてのインパクトドライバの左側面図、図２は同インパクトドライバの背面図、図３は同インパクトドライバの内部構造を示す右側断面図、図４は図１のＡ−Ａ線断面図、図５は本発明に係る別の電動工具の一形態としてのインパクトドライバの左側面図、図６は本発明に係る別の電動工具の一形態としてのインパクトドライバの左側面図、図７は本発明に係る別の電動工具の一形態としてのインパクトドライバの左側面図、図８は図７のＢ−Ｂ線断面図である。
【００３３】
先ず、本発明に係るインパクトドライバ１は、図３に示すように、外枠であるハウジング２とハンマケース３の内部に、駆動源であるモータ４と、該モータ４の駆動力を伝達する伝達機構部である遊星歯車機構５と、該遊星歯車機構５によって前記モータ４の駆動力を伝達される先端工具保持部であるアンビル７を収容する。他方、ハンドル部２Ｂの内部には、上部に前記モータ４の起動・停止を制御するためのトリガースイッチ１０が、下部にはバッテリ受け部８がそれぞれ収容されており、ハンドル部２Ｂの下端には充電可能な電源であるバッテリ９が着脱可能に装着されている。インパクトドライバ１は、ハウジング２の胴体部２Ａに収容されたハンマ６によってアンビル７及びこれに装着された先端工具であるビット（図示せず）を回転打撃して所要の作業を行うものである。尚、左右一対の外枠を成すハウジング２ａ、２ｂは、ポリプロピレン、ポリカーボネート、ナイロン、ＡＢＳ等の硬質樹脂を一体成形することによって構成されている。
【００３４】
以下に本発明の特徴的な構成について説明する。本発明に係るインパクトドライバ１においては、図１に示すように、エラストマ等から成る軟質層１２がハウジング２の胴体部２Ａの一部とハンドル部２Ｂの全体に形成されており（図１の斜線部分）、この軟質層１２によってハウジング２の胴体部２Ａ又はハンドル部２Ｂを把持する作業者の手指の滑り止めを図り、握り心地を良くして操作性及び作業性を向上させるようにしている。
【００３５】
更に、ハウジング２の軟質層１２を除く外表面全体が塗装されており、その塗装部１３がエラストマ等から成る透過性軟質層１１に覆われている。このため、インパクトドライバ１の外観色を変更する場合は塗装面１３の色を変えるだけでよく、ハウジング２の樹脂色を変更する場合に比べて、低コストにインパクトドライバ１のカラーバリエーションを増やすことができる。又、この透過性軟質層１１により、塗装面１３の傷付きや剥がれを防ぐことができるとともに、塗装面１３の色彩に深みが加わり、意匠性が向上する。
【００３６】
又、図４に示すように、透過性軟質層１１をハウジング２ａ、２ｂの合わせ面で接触するように設けたことにより、ハウジング２ａ、２ｂに跨って塗装部１３を設けられる。
【００３７】
又、透過性軟質層１１の外表面をつや消しにすることにより、塗装面１３に反射率の高いメタリックカラーを用いた場合でも、光の反射を抑え、操作の妨げになることを防ぐことができる。
＜実施の形態２＞
本発明に係るインパクトドライバ１Ａにおいては、図５に示すように、ハウジング２の軟質層１２を除く外表面に図柄が印刷されており、その印刷面１４がエラストマ等から成る透過性軟質層１１に覆われている。この透過性軟質層１１により、印刷面１４の傷付きや剥がれを防ぐことができるとともに、印刷面１４の質感に深みが加わり、意匠性が向上する。
＜実施の形態３＞
本発明に係るインパクトドライバ１Ｂにおいては、図６に示すように、ハウジング２の軟質層１２を除く外表面に、図柄が印刷されたラベル１５が貼り付けられており、そのラベル１５がエラストマ等から成る透過性軟質層１１に覆われている。この透過性軟質層１１により、ラベル１５の汚れや剥がれを防ぐことができるとともに、ラベル１５の質感に深みが加わり、意匠性が向上する。
＜実施の形態４＞
本発明に係るインパクトドライバ１Ｃにおいては、図７及び図８に示すように、ハウジング２の軟質層１２を除く外表面に、ブランドロゴが凸レリーフ１６状に形成されており、その凸レリーフ１６がエラストマ等から成る透過性軟質層１１に覆われている。この透過性軟質層１１により、ハウジング２の胴体部２Ａを把持する場合に凸レリーフ１６が手指に当たって操作の妨げになることを防ぐことができるとともに、凸レリーフ１６の質感に深みが加わり、意匠性が向上する。
【００３８】
又、軟質層１２の代わりに透過性軟質層１１を用いた場合、軟質層の材料が１種類で済むため、低コストである。
【００３９】
尚、実施の形態２〜４においても、実施の形態１と同様に、透過性軟質層１１をハウジング２ａ、２ｂの合わせ面で接触するように設けたことにより、ハウジング２ａ、２ｂに跨って印刷面１４、ラベル１５、凸レリーフ１６を設けられる。又、透過性軟質層１１の外表面をつや消しにすることにより、印刷面１４、ラベル１５、凸レリーフ１６に反射率の高いメタリックカラーを用いた場合でも、光の反射を抑え、操作の妨げになることを防ぐことができる。
【００４０】
尚、本発明は、インパクトドライバだけに適用が限定される訳ではなく、釘打機、ドリル等の任意の電動工具に対しても幅広く適用可能であることは勿論である。
【図面の簡単な説明】
【００４１】
【図１】本発明の第１の実施形態に係る電動工具の左側面図である。
【図２】本発明に係る電動工具の背面図である。
【図３】本発明に係る電動工具の内部構造を示す右側断面図である。
【図４】図１のＡ−Ａ線断面図である。
【図５】本発明の第２の実施形態に係る電動工具の左側面図である。
【図６】本発明の第３の実施形態に係る電動工具の左側面図である。
【図７】本発明の第４の実施形態に係る電動工具の左側面図である。
【図８】図７のＢ−Ｂ線断面図である。
【図９】従来の電動工具の左側面図である。
【図１０】従来の電動工具の内部構造を示す右側断面図である。
【符号の説明】
【００４２】
１，１Ａ、１Ｂ、１Ｃはインパクトドライバ、２、２ａ、２ｂはハウジング、２Ａは胴体部、２Ｂはハンドル部、３はハンマケース、４はモータ、５は遊星歯車機構、６はハンマ、７はアンビル、８はバッテリ受け部、９はバッテリ、１０はトリガースイッチ（スイッチ）、
１１は透過性軟質層、１２は軟質層、１３は塗装面、１４は印刷面、１５はラベル、１６は凸レリーフである。
【図１】
2009083058.tif 000003
【図２】
2009083058.tif 000004
【図３】
2009083058.tif 000005
【図４】
2009083058.tif 000006
【図５】
2009083058.tif 000007
【図６】
2009083058.tif 000008
【図７】
2009083058.tif 000009
【図８】
2009083058.tif 000010
【図９】
2009083058.tif 000011
【図１０】
2009083058.tif 000012